(57)【要約】【課題】  誤飲防止用ロック機能付き包装用箱において、当該包装用箱の開封後でも、箱を常態としてロック状態にして、子供（特に幼児）による医薬品の誤飲を防止する。【解決手段】  誤飲防止用ロック機能付き包装用箱において、正面、左側面、右側面及び背面の４側面と、これら４側面の下側に設けられ４側面と共に箱収容部を構成する底面と、各一対の上フラップ及び下フラップとを備え、正面は、正面外側の主正面と主正面その裏側の補助正面とで構成され、天面前縁に箱収容部に差し込まれる差し込み片を有し、差し込み片の先縁には係止フックが設けられ、補助正面の、前記係止フックに対応する部位にはフック受けが設けられ、天面が閉鎖動作して前記差し込み片が箱収容部に向けて差し込まれたとき、前記係止フックとフック受けとが係合ロックするようにした。ロック状態にしたことにより、子供による医薬品の誤飲を防止することができる。【選択図】図１
2019085124.tif 000002
【特許請求の範囲】
【請求項１】
正面、左側面、右側面及び背面の４側面と、これら４側面の下側に設けられ４側面と共に箱収容部を構成する底面と、一対の上フラップと、天蓋となる天面と、一対の下フラップとを備え、
正面は、正面外壁を構成する主正面と主正面の裏側に設けられた補助正面とから構成され、
天面はその前縁に箱収容部に向けて差し込まれる差し込み片を有し、
前記差し込み片の先縁には係止フックが設けられ、
補助正面の、前記係止フックに対応する部位にはフック受けが設けられ、
天面が閉鎖動作して前記差し込み片が箱収容部に向けて差し込まれたとき、前記係止フックとフック受けとが係合ロックする、
ことを特徴とする誤飲防止用ロック機能付き包装用箱。
【請求項２】
正面は、主正面と、主正面の延長上に折れ線を介して連続して形成された補助正面とを備え、
補助正面を折れ線に沿って主正面の裏側に折り畳んで対接させることにより正面を成形した、
ことを特徴とする請求項１に記載の包装用箱。
【請求項３】
係止フックは、差し込み片の先端縁よりも先端側へ突出して成形された係止片と、
差し込み片の先端縁よりも内側に前記係止片対応して形成された切込み部と、前記係止片と切込み部との間に、差し込み片の長手方向に延びて設けられた折れ線とから構成され、
前記係止片は、折れ線において差し込み片に対して反転可能である、
ことを特徴とする請求項１又は２に記載の包装用箱。
【請求項４】
フック受けは、補助正面１１ｂの左右方向中心寄りの部分で、主正面と補助正面との間に設けられた折れ線近傍に形成された開口から構成され、
開口は、前記係止フックに設けられた係止片に対応する位置に設けられており、差し込み片及び係止片が補助正面の内側に差し込まれたとき、係止片が開口に引っ掛かり、前記差し込み片の抜け止めを行う、
ことを特徴とする請求項１乃至３のいずれかに記載の包装用箱。
【発明の詳細な説明】
【技術分野】
【０００１】
本発明は、子供による医薬品の誤飲を防止する誤飲防止用ロック機能付き包装用箱に関する。
【背景技術】
【０００２】
近年、子供による医薬品の誤飲を防止するために、子供が容易に開封できないロック機能を持たせた包装用箱が切望されており、その一例が特許文献１により提案されている。
【０００３】
この文献１の包装用箱は、正面部上部に設けられた被押し込み部が人の指によって外側から押し込まれて、この被押し込み部の縁部に沿って形成された第１の切取線に沿って被押し込み部が正面部から切り離されることにより開封される形式の箱になっており、この包装用箱では、特に、正面部の内側に重ねられるシート部を備え、このシート部に、包装用箱の開封を規制するように第１切取線の被ロック部の内側に重ねられるロック部と、ロック部をシート部から切り離すためにロック部の縁部に設けられた第２切取線とを有している。
【０００４】
このようにして、正面部の被押し込み部を外側から押し込んでも、被押し込み部が第１切取線の被ロック部に沿って切り離されることがロック部によって阻止されるので、包装用箱が容易に開封されてしまうことが防止される。
【０００５】
この包装用箱の開封は、ロック部によるロックを解除することで可能となる。ロックを解除する場合は、ロック部を引き上げることで、ロック部を第２切取線に沿ってシート部から切り離す。このロック部の切り離し動作は、シート部の紙面に平行な方向に沿ってロック部を引き上げることで、シート部からロック部を引きちぎる動作であるため、第２切取線が設けられているとはいえ、ロック部の切り離しには大きな力を要する。よって、子供の力ではロック部の切り離しが困難であり、子供によるロック解除を防止することができる。
【０００６】
そして、この引き上げられたロック部の下端部は、第１切取線の被ロック部よりも上側に配置されることにより、被ロック部の内側には、ロック部及びシート部のいずれも介在することがなくなって、ロック部によるロック機能が失われる。したがって、正面部の被押し込み部ａを外側から押し込むと、被押し込み部を容易に正面部から切り離して内側へ押し込むことができ、包装用箱を開封することができる。
【先行技術文献】
【特許文献】
【０００７】
【特許文献１】特開２０１４−２２７２２６号公報
【発明の概要】
【発明が解決しようとする課題】
【０００８】
しかしながら、上記従来（特許文献１）の包装用箱では、一度ロック部によるロックを解除してしまうと、ロック部のロック機能は失われてしまうため、箱開封後のロック機能がなく、箱開封後の子供（特に幼児）による医薬品の誤飲を防止することができない、という問題がある。
【０００９】
本発明は、このような従来の問題を解決するもので、この種の誤飲防止用ロック機能付き包装用箱において、箱の開封後でも、箱を常態としてロック状態にして、子供（特に幼児）による医薬品の誤飲を防止することを目的とする。
【課題を解決するための手段】
【００１０】
上記目的を達成するために、本発明の誤飲防止用ロック機能付き包装用箱は、正面、左側面、右側面及び背面の４側面と、これら４側面の下側に設けられ４側面と共に箱収容部を構成する底面と、一対の上フラップと、天蓋となる天面と、一対の下フラップとを備え、正面は、正面外壁を構成する主正面と主正面の裏側に設けられた補助正面とから構成され、天面はその前縁に箱収容部に向けて差し込まれる差し込み片を有し、前記差し込み片の先縁には係止フックが設けられ、補助正面の、前記係止フックに対応する部位にはフック受けが設けられ、天面が閉鎖動作して前記差し込み片が箱収容部に向けて差し込まれたとき、前記係止フックとフック受けとが係合ロックする、ことを要旨とする。
【００１１】
上記包装用箱において、正面は、主正面と、主正面の延長上に折れ線を介して連続して形成された補助正面とを備え、補助正面を折れ線に沿って主正面の裏側に折り畳んで対接させることにより正面を成形してもよい。
【００１２】
また、上記包装用箱において、係止フックは、差し込み片の先端縁よりも先端側へ突出して成形された係止片と、差し込み片の先端縁よりも内側に前記係止片対応して形成された切込み部と、前記係止片と切込み部との間に、差し込み片の長手方向に延びて設けられた折れ線とから構成され、前記係止片は、折れ線において差し込み片に対して反転可能であることが好適である。
【００１３】
さらにまた、上記包装用箱において、フック受けは、補助正面１１ｂの左右方向中心寄りの部分で、主正面と補助正面との間に設けられた折れ線近傍に形成された開口から構成され、開口は、前記係止フックに設けられた係止片に対応する位置に設けられており、差し込み片及び係止片が補助正面の内側に差し込まれたとき、係止片が開口に引っ掛かり、前記差し込み片の抜け止めを行う、ことが好適である。
【発明の効果】
【００１４】
本発明の包装用箱によれば、上記の構成により、係止フックとフック受けによる上記ロック操作によって、包装用箱は、天面を閉鎖した後、上方に引き上げても係止フックとフック受けとの協働作用によりロックがかかって引き上げることはできないようにしたので、子供が自分自身で蓋（天面）を開け、収容物である薬品を飲むということはなく、子供による医薬品の誤飲を防止することができる。
【００１５】
また、包装用箱を組み立てたとき、補助正面はフック受けの開口に接続した折れ線に沿って包装用箱の内部に向けて「くの字」状に折れ曲がり、開口と主正面との間に隙間を作るから、係止フックと補助正面とを密着状態で移動させることができる。
【００１６】
また、上記補助正面による「くの字」状の折れ曲がりにより、フック受けの開口は斜め上向きに開いた開口となり、降下してくる係止片が係合し易くなり、係止片と開口とが容易に且つ正しく係合することができる。
【００１７】
また、係止フックとフック受けによるロック作用を解除するに際して、天面の外側から押込部部分にできた指挿入穴に手指を差し入れて天面をずらすだけでロック作用を解除されるから、フック受けによるロック作用を解除することができ操作が簡単にできる。
【図面の簡単な説明】
【００１８】
【図１】本発明の一実施の形態に係る情報ラベル付き包装用箱の外観構成を示す斜視図である。
【図２】上記実施の形態に係る包装用箱を展開した状態を示す展開図である。
【図３】上記実施の形態に係る包装用箱のフック受け部分の構成を拡大して示す展開図である。
【図４】上記実施の形態に係る包装用箱において、組み立て途中の補助正面及び補助底蓋上方へずらせて箱内部を示す部分斜視図である。
【図５】上記実施の形態に係る包装用箱において、補助正面の「くの字」曲りを示す部分斜視図である。
【図６】上記実施の形態に係る包装用箱において、係止フックの係止片が裏返し操作を受けた後の差し込み片の態様を示す部分斜視図である。
【発明を実施するための形態】
【００１９】
本発明を実施するための形態について図面を用いて説明する。図１は本発明の一実施の形態における誤飲防止用ロック機能付き包装用箱（以下、単に「包装用箱」という）の外観構成を示す斜視図である。図２は上記包装用箱の展開図である。
【００２０】
図１及び図２において、符号Ｂは包装用箱を示す。この包装用箱Ｂは、子供による医薬品の誤飲を防止する機能を有する包装用箱である。図１及び図２に示すように、包装用箱Ｂは、正面１１、左側面１２、右側面１４及び背面１３の４側面と、左側面１２及び右側面１４の上部にそれぞれ設けられた一対の上フラップ１６Ｌ、１６Ｒと、天面１８と、左側面１２及び右側面１４の下部にそれぞれ設けられた一対の下フラップ１７Ｌ、１７Ｒ及び一対の底蓋１９Ｆ、１９Ｒからなる底面１９とを備えて成る。上記４側面１１，１２，１３，１４と底面１９は結合組み立てされて箱収容部を構成する。包装用箱Ｂの各底蓋１９Ｆ、１９Ｒは底面１９を前後方向略中央で２分割可能にしており、底面１９の前後方向略中央で相互に対向する底蓋１９Ｆ、１９Ｒが各縁部において上下に重なり合って底面１９を形成するように形成されている。
【００２１】
底面１９の近傍にあって、各下フラップ１７Ｌ、１７Ｒはそれぞれ、左右両側面１２、１４の下端に連接して略三角形に近似する台形に形成される。下フラップ１７Ｌ、１７Ｒのうち、下フラップ１７Ｌは左側面１２の下方に延びて設けられ、下フラップ１７Ｒは右側面１４の下方に延びて設けられている。また、図２に示すように、下フラップ１７Ｌの底蓋１９Ｆに隣接した縁部には折り畳み線１９４ａを介して連接する接着片１９３ａが突出形成されている一方、下フラップ１７Ｒの底蓋１９Ｒに隣接した縁部には折り畳み線１９４ｂを介して連接する接着片１９３ｂが突出形成されている。各下フラップ１７Ｌ、１７Ｒの接着片１９３ａ、１９３ｂは、それぞれ各接着片１９３ａ、１９３ｂが、近接する各底蓋１９Ｆ、１９Ｒの対応する端部に接着固定され、一体的に組み合わせられる。また、４側面のうち相互に隣り合う所定の各側面１１と１２、１３と１４が内側面を合せて、かつ各底蓋１９Ｆ、１９Ｒが当該各底蓋１９Ｆ、１９Ｒが連接される各側面１１、１３に内側面を合せて、４側面が底面１９とともに略扁平状に折り畳み可能に構成され、折り畳まれた状態からワンタッチで立体的な箱構造に組み立てられる形式になっている。
【００２２】
この場合、包装用箱Ｂは、図１に示すように、天面１８及び底面１９の幅方向が広く奥行方向が幅方向よりも狭く形成されて、全体が横に長い直方体形状に構成され、４側面は正面１１、背面１３が横に長い長方形に、左右両側面１２、１４が正面１１、背面１３の横長寸法よりも短い所定の長さの長方形になった基本構成を有している。
【００２３】
以上の基本構成に加えて、各上フラップ１６Ｌ、１６Ｒは左右両側面１２、１４の上端に連接して設けられている。また、天面１８は背面１３の上端に連接して箱開口と略同じ大きさの長方形に形成されて、その先端に差し込み片１８１が併せて形成される。また、天面１８は箱開口と略同じ大きさに形成され、箱開口全面を閉塞する天蓋としての機能を持つ。図１に表されているように、差し込み片１８１の先端縁は直線状に延びておらず、異形状の凹凸に形成された係止フック５０が設けられている。また、包装用箱Ｂの正面１１部分については、包装用箱Ｂの外観において正面をなす主正面１１ａと、主正面１１ａと一体的に設けられ主正面１１ａの内側に折り畳み配置された補助正面１１ｂとから成る。補助正面１１ｂは、主正面１１ａと略同じ大きさかそれよりも僅かに小さい形状に成形され、正面１１部分において箱の立体組み立てが行い易く、また後出の機能を持つように図られている。図４に表されているように、補助正面１１ｂはこの主正面１１ａに連続して一体成形されている。
【００２４】
さらに、補助正面１１ｂの先端側には補助底蓋１９ｂが連続して一体成形されている。補助底蓋１９ｂは、底蓋１９Ｆ、１９Ｒにより形成された底面１９の面積と略同じ大きさかそれよりも僅かに小さい形状に成形され、補助正面１１ｂとの境界部分で折り曲げられ箱内部の底部分に納められて箱の立体組み立てが行い易いように図られている。補助正面１１ｂ及び当該補助正面１１ｂと補助底蓋１９ｂとの境界部分においては、図４に表されているように、２つの開口５１，５２が形成されている。これらの開口５１，５２は打ち抜き加工により形成され、上述の差し込み片１８１に設けられた係止フック５０に対応するフック受け５３を構成する。係止フック５０とフック受け５３とは、包装用箱Ｂの天蓋を閉じる操作が行われ、差し込み片１８１が補助正面１１ｂの内側に差し込まれたとき、係止フック５０がフック受け５３に引っ掛かり、簡単には抜け外れないようにする引っ掛け機構を構成する。
【００２５】
かかる包装用箱Ｂの各部の形状及び構造から、この包装用箱Ｂは、正面１１と左側面１２、背面１３と右側面１４がそれぞれ内側面を合せて、かつ前側の底蓋１９Ｆと正面１１、後側の底蓋１９Ｒと背面１３がそれぞれ内側面を合せて、４側面が底面１９とともに略扁平状に折り畳み可能に構成される。天面１８は背面１３と一体となっており、補助底蓋１９ｂは正面１１と一体となっている。また、この場合、包装用箱Ｂは一枚のブランクシートから一体的に打ち抜かれて形成される一枚の紙基材Ｐからなり、この紙基材Ｐの形状は図２の展開図に示す通りである。
【００２６】
紙基材Ｐ上における包装用箱Ｂの各部位について図２を参照して説明する。なお、この明細書中で、図２を参照した説明中で表現される上、下、左、右は当該図２の中での表現であり、折り曲げ作業等を経て組み立てられた後の包装用箱における実際の方向とは異なることがある。図２に示すように、この紙基材Ｐは、左側面１２の一方の短辺側（この場合、左側）の側縁に凸片状に形成された接着片１５を有し、左側面１２の他方の短辺側（接着片１５とは反対側）に、所定の大きさを有する長方形の主正面１１ａ、以下右方へ順に、左側面１２と同じ大きさ、形状を有する右側面１４、主正面１１ａと同じ大きさ、形状を有する背面１３が左側から右側へ順次、折れ線３１、３２、３３、３４を介して連続して形成されている。さらに、背面１３の一方の長辺側（上側）には、折れ線３５を介して延出され、所定の大きさを有する横長の長方形の天面１８が連接成形され、さらにこの天面１８の上側延長上に折れ線３６を介して連続して形成された横長の帯状の差し込み片１８１が形成されている。背面１３の他方の長辺側（下側）には、折れ線３７を介して延出され、所定の大きさを有する横長の略長方形の後側の底蓋１９Ｒが連接成形されている。
【００２７】
左側面１２には、その上側に折れ線３８を介して延出され、所定の大きさを有する異形状の矩形形状を持つ上フラップ１６Ｌと、その下側に折れ線３９を介して延出され、所定の大きさを有する三角形に近似する台形の下フラップ１７Ｌとが形成されている。また右側面１２には、その上側に折れ線４４を介して延出され、所定の大きさを有する異形状の矩形形状を持つ上フラップ１６Ｒと、その下側に折れ線４５を介して延出され、所定の大きさを有する三角形に近似する台形の下フラップ１７Ｒとが形成されている。上フラップ１６Ｌと上フラップ１６Ｒの形状関係、及び下フラップ１７Ｌと下フラップ１７Ｒの形状関係を比べると、下フラップ１７Ｌと下フラップ１７Ｒは両部材が略同じ形状であるのに対し、上フラップ１６Ｌと上フラップ１６Ｒは両部材が異なった形状に成形されている。
【００２８】
まず上フラップ１６Ｒについて見るとこの上フラップ１６Ｒは折れ線４４から寸法Ｈ１だけ上方へ延びて概略矩形形状に形成されており、その正面１１に隣接する側が基端部（折れ線４４に近い端部）から先端左側コーナー部分にかけて切り取られ切欠コーナー１６ａが形成されている。この上フラップ１６Ｒについて、寸法Ｈ１だけ上方へ延びている態様は本発明以外の通常の包装用箱における上フラップの寸法と同様であり大きな違いはない。次に上フラップ１６Ｌについて見るとこの上フラップ１６Ｌは折れ線３８から寸法Ｈ１よりも明らかに大きい寸法Ｈ２だけ上方へ延びて概略矩形形状に形成されており、その正面１１に隣接する側辺１６ｂについては当該側辺１６ｂが基端部（折れ線３８に近い端部）から矩形の一辺を成すように所定の寸法だけ延びて角部１６ｃに達している。そして上フラップ１６Ｌは角部１６ｃから先端右側コーナー部分にかけて切り取られ切欠コーナー１６ｄが形成されている。また、側辺１６ｂは、基端部から角部１６ｃに達するまでの途中の部位１６ｅを変節点１６ｅとして、基端部から垂直に延びる側辺１６ｂが変節点１６ｅで上フラップ１６Ｌの内側へ折曲して延び、角部１６ｃに到達している。この上フラップ１６Ｌについて、寸法Ｈ２だけ上方へ延びている点、基端部から垂直に延びる側辺１６ｂが変節点１６ｅで上フラップ１６Ｌの内側へ折曲して延びる点、及びその先端右側コーナー部分に切欠コーナー１６ｄを設けた点は本発明において独自に取り入れられた態様である。そして、この態様により、上フラップ１６Ｌは、天面１８のロック解除操作における差し込み片１８１のすれ運動のガイド機構としての作用効果を持っている。
【００２９】
主正面１１ａの一方の長辺側（上側）には、折れ線４１を介して延出され、所定の大きさを有する横長の略長方形の補助正面１１ｂと、この補助正面１１ｂの上側延長上に折れ線４２を介して連続して形成された補助底蓋１９ｂが連続して一体成形されている。折れ線４２はミシン目に形成されていることが好適である。主正面１１ａの他方の長辺側（下側）には、折れ線４３を介して延出され、所定の大きさを有する横長の略長方形の前側底蓋１９Ｆが形成されている。
【００３０】
先の説明で、図１及び図４を参照して差し込み片１８１に設けられた係止フック５０と、補助正面１１ｂ及び補助底蓋１９ｂ部分に設けられたフック受け５３とにより引っ掛け機構を構成する点について説明した。ここでは、この引っ掛け機構の紙基材Ｐ上での構成について図２を参照して説明する。
【００３１】
図２において、天面１８の差し込み片１８１の先端縁部分の両端縁部を除く中央寄り部分には、先端縁１８１ａよりも先端側へ突出する第１の係止片５４と、第２の係止片５５と、第３の係止片５６とが所定の間隔を空けて設けられている。また、第１乃至第３の係止片５４，５５，５６の下方の差し込み片１８１の部分には、第１乃至第３の係止片５４，５５，５６に略対応して第１の切込み部５７と、第２の切込み部５８と、第３の切込み部５９とが所定の間隔を空けて形成されている。第１の係止片５４は、差し込み片１８１の先端縁右端側から左方へかけて数段（本実施の形態では３段）にわたり漸次階段状に立ち上がり、頂部を形成した後第１の突起底部６０へ直線的に傾斜して立ち下る異形台形に成形されている。第２の係止片５５は、第１の突起底部６０の左端部から左方へかけて直線的に傾斜して立ち上がり平坦頂部を経た後第２の突起底部６１へ直線的に傾斜して立下る台形に形成されている。第３の係止片５６は、第２の突起底部６１の左端部から左方へかけて緩やかに傾斜して立ち上がり平坦頂部を経た後第２の突起底部６１へ緩やかに傾斜して立下る台形に形成されている。突起底部６０と突起底部６１とは差し込み片１８１上で略同一の高さ位置に設けられており、この高さ位置は差し込み片１８１の先端縁１８１ａの高さ位置よりも上である。
【００３２】
第１の切込み部５７は、第１の係止片５４の下方位置で、当該第１の係止片５４の左端部から右端部の間の中央部分において差し込み片１８１の先端縁１８１ａの高さ位置から左方へかけて直線的に傾斜して立ち下がり平坦底部を経た後第１の先端縁１８１ａの高さ位置へ直線的に傾斜して立ち上る台形に成形されている。第１の切込み部５７は、第１の係止片５４に対して左右中央部分に形成されており、第１の切込み部５７は、上述のように漸次階段状に立ち上がった形状を有するから、第１の切込み部５７の平坦底部は第１の係止片５４の頂部よりも右方へずれた位置にある。第２の切込み部５８は、第２の係止片５５の下方で差し込み片１８１の先端縁１８１ａの高さ位置から略垂直に立ち下がり左方へ延びる平坦底部を経た後この平坦底部から第１の先端縁１８１ａの高さ位置へ略垂直に立ち上がる矩形凹部に成形されている。第３の切込み部５９は、第３の係止片５６の下方位置で、差し込み片１８１の先端縁１８１ａの高さ位置から左方へかけて直線的に傾斜して立ち下がり平坦底部を経た後第１の先端縁１８１ａの高さ位置へ直線的に傾斜して立ち上る台形に成形されている。
【００３３】
第１の切込み部５７と第３の切込み部５９は、ほぼ同じ形状、同じ寸法に成形されている。第２の切込み部５８は第１の切込み部５７及び第３の切込み部５９とは形状が異なる上、その平坦底部の長さ寸法は第１の切込み部５７及び第３の切込み部５９の平坦底部よりは大きい。これらの第１乃至第３の切込み部５７，５８，５９の間はミシン目６０ａ、６０ｂによって接続される一方、第１の切込み部５７の右端から第１の係止片５４の右端（差し込み片１８１の先端縁１８１ａに対応する）までの間はミシン目６０ｃによって接続される。また、第３の切込み部５７の左端から第３の係止片５６の左端（同じく差し込み片１８１の先端縁１８１ａに対応する）までの間もまたミシン目６０ｄによって接続される。
【００３４】
これにより係止フック５０は、第１乃至第３の切込み部５７，５８，５９自体が切込み線から成り、また一端から他端まではミシン目６０ａ〜６０ｄによって接続されているから、全体として差し込み片１８１の先端縁１８１ａの部位でミシン目６０ａ〜６０ｄにより折り曲げ可能である。そしてこの折り曲げ作用により、第１乃至第３の切込み部５７，５８，５９では、それぞれの平坦底部が差し込み片１８１の面から前方或いは後方へせり出す作用が生じる。
【００３５】
次にフック受け５３の構成について説明する。フック受け５３を構成する開口５１，５２のうち開口５１は、補助正面１１ｂ及び当該補助正面１１ｂと補助底蓋１９ｂとの境界部分において、当該補助正面１１ｂの左右方向中心から右寄りの部分に設けられている。開口５１は、その上縁５１ａがミシン目から成る折れ線４２よりも補助底蓋１９ｂ側へ僅かに入った部位で左右方向へ延び、上縁５１ａの両端で略直角方向下方へ曲がって補助正面１１ｂ側へ達する左辺５１ｍと右辺５１ｎとを有している。左辺５１ｍは、折れ線４２を越えた近傍で開口５１の内側へ略直角に突入して右方向へ延び、その先方で再び略直角に下方へ曲がって補助正面１１ｂ内をさらに下方へ向かうジグザグ状のくびれ部５１ｃに接続し、くびれ部５１ｃから延びた下向き辺５１ｄの先は開口下縁５１ｅに到達している。くびれ部５１ｃは先端が湾曲状に形成されて直角よりもやや大きい角度だけ下方へ曲がっており、その形状は鋭角となっている。
【００３６】
したがって、下向き辺５１ｄは、くびれ部５１ｃの近傍では傾斜方向へ延び、途中の部位において垂直方向へ向きが変わる辺となっている。右辺５１ｎは、折れ線４２を超えて左辺５１ｍよりも長い距離だけ延びた部位で開口５１の内側へ入り込んだ湾曲状（円弧状）のくびれ部５１ｆに接続し、くびれ部５１ｆの先端は開口下縁５１ｅに到達している。開口下縁５１ｅは左右方向へ延びているが直線状ではなく下方へ僅かに突出する湾曲辺となっている。補助正面１１ｂの内部において、右辺５１ｎとくびれ部５１ｆとの交差点部位５１ｇからは切込み線５１ｈが、当該交差点部位５１ｇから左下方へ傾斜した方向へ延びており、切込み線５１ｈの先端は円弧状に湾曲したフック形状となっている。
【００３７】
開口５２は、補助正面１１ｂ及び当該補助正面１１ｂと補助底蓋１９ｂとの境界部分において、当該補助正面１１ｂの左右方向中心から左寄りの部分に設けられている。開口５２は、その上縁５２ａが折れ線４２よりも補助底蓋１９ｂ側へ僅かに入った部位で左右方向へ延び、上縁５２ａの両端で略直角方向へ曲がって補助正面１１ｂ側へ達する左辺５２ｂと右辺５２ｃとを有している。左辺５２ｂは、上縁５２ａの左端で略直角方向へ曲がった後、垂直下方へ延びて開口５２の下縁の左側部分を形成する湾曲下縁５２ｄに到達している。湾曲下縁５２ｄは、補助正面１１ｂ内において開口５２を略円弧状に下方へ張り出すように延びている。右辺５２ｃもまた、上縁５２ａの右端で略直角方向へ曲がった後、垂直下方へ延びるが、その途中で開口５２が外方へ突入して右方向へ略三角形状に張り出した楔形張出部５２ｅに突き当たっている。楔形張出部５２ｅの下縁は三角形の一辺を成す下方傾斜縁５２ｆから左方へ延びて開口５２の下縁の右側部分を形成する水平下縁５２ｇに接続している。
【００３８】
湾曲下縁５２ｄと水平下縁５２ｇとは、折れ線４１から見て、湾曲下縁５２ｄの方が水平下縁５２ｇよりも低い位置に形成されている。また、湾曲下縁５２ｄと水平下縁５２ｇとの間には、開口５２の下縁中央部において両下縁５２ｄ、５２ｇの端部から上向きに開口５２の内側へ入り込んだ湾曲状のくびれ部５２ｈが形成されている。このように、開口５２の下縁は上記湾曲下縁５２ｄと、水平下縁５２ｇと、くびれ部５２ｈとにより非直線状に形成されている。ここで、折れ線４２について詳しく説明する。この折れ線４２は、図３において、第１のミシン目４２ａと、第２のミシン目４２ｂと、第３のミシン目４２ｃとから成る。第１のミシン目４２ａは折れ線４２の右端から開口５１の右辺５１ｎまで延び、第２のミシン目４２ｂは開口５１の左辺５１ｍから開口５２の右辺５２ｃまで延び、第３のミシン目４２ｃは開口５２の左辺５２ｂから折れ線４２の左端まで延びている。また、第１乃至第３のミシン目４２ａ、４２ｂ、４２ｃ、から、折れ線４１までの距離寸法をみると、第１のミシン目４２ａから折れ線４１までの距離寸法はＤ１であり、第２のミシン目４２ｂから折れ線４１までの距離寸法はＤ１であり、第３のミシン目４２ｃから折れ線４１までの距離寸法はＤ２であり、しかも、Ｄ１とＤ２の間では、
Ｄ１＞Ｄ２
の関係がある。すなわち、補助正面１１ｂは第１乃至第３のミシン目４２ａ、４２ｂ、４２ｃに対応する部分（領域）において、異なる高さ寸法を有している。他方、主正面１１ａの高さ寸法（すなわち、折れ線４１から折れ線４３までの距離寸法）はＤ２にほぼ等しく設定されている。なお、上の説明では、
第１のミシン目４２ａから折れ線４１までの距離寸法と、第２のミシン目４２ｂから折れ線４１までの距離寸法は同じＤ１としたが、両者ともＤ２よりも長ければ、僅かに異なる寸法にしてもかまわない。
【００３９】
なお、天面１８の、差し込み片１８１近傍には押込部１８２が設けられている。この押込部１８２は、長円形を長手方向の途中で切断（すなわち、「寸切り」）した形状に成形され、この寸切り線１８２ａにおいて天面１８に接続されている一方、他の部分である長円部分１８２ｂはミシン目１８２ｃまたはミシン目１８２ｃと切込み線の組み合わせにより天面１８に接続されている。そして、この押込部１８２を操作するときは天面１８の外側から押込部１８２部分を押すと、ミシン目１８２ｃ（切込み線）が破れて指が挿入可能な穴が表れる。また、天面１８の、面内部の所定部位には複数の通し孔１８３が形成されている。この通し孔１８３は包装用箱Ｂ内部に医薬品が入っているかの確認窓であり、また、箱内の通気性を確保するためのものである。
【００４０】
このような構成からなる紙基材Ｐは、各部位１１〜１９Ｆ、１９Ｒが、それぞれ対応する折れ線３１〜４５に沿って折り曲げられ、各接着箇所を接着片１５、１９３により接着されて、包装用箱Ｂが組み立てられる。この箱の組み立てについて、主として図２を用い、必要に応じて図１を参照して説明する。なお、この説明では、包装用箱Ｂの組み立てについて経時的に述べるが、組み立て手順は一例であり他の手順であってもよい。また、この包装用箱Ｂは自動貼り機を使った自動組み立てが可能であるが、その組み立て工程を説明するものではなく、単に、紙基材Ｐの各形状部と包装用箱Ｂの各面や各部片とを対応させた包装用箱Ｂの成り立ちを説明するものである。
【００４１】
図２において、まず、主正面１１ａに対して折れ線３３を介して右側面１４が、それぞれの内側面を内側にして、略直角に折り曲げられる。続いて、この右側面１４に対して折れ線３４を介して背面１３が、それぞれの内側面を内側にして、略直角に折り曲げられる。続いて、主正面１１ａに対して折れ線３２を介して左側面１２が、それぞれの内側面を内側にして、略直角に折り曲げられる。続いて、左側面１２に対して折れ線３１を介して接着片１５が、それぞれの内側面を内側にして、略直角に折り曲げられ、この接着片１５が背面１３の他方の側縁（背面１３の折れ線３４とは反対側の側縁）の内側に接着剤を介して接着固定される。これにより包装用箱Ｂの、正面１１、左側面１２、右側面１４及び背面１３の４側面が繋げられる。そして背面１３及び正面１１に対して折れ線３７、４３を介して前側、後側の各底蓋１９Ｆ、１９Ｒが、それぞれの内側面を内側にして、略直角に折り曲げられ包装用箱Ｂの前後方向略中央部分で前側の底蓋１９Ｆが上になるように重ね合わせられる。前側の底蓋１９Ｆと後側の底蓋１９Ｒは互いに貼り付けはされない。続いて、左側面１２及び右側面１４に対して折れ線３９、４５を介して各下フラップ１７Ｌ、１７Ｒが、それぞれの内側面を内側にして、略直角に折り曲げられ、下フラップ１７Ｌに設けられた接着片１９３ａが前側の底蓋１９Ｆの外側面に接着剤を介して固定されるとともに、下フラップ１７Ｒに設けられた接着片１９３ｂが後側の底蓋１９Ｒの外側面に接着剤を介して固定されて底面１９が形成される。
【００４２】
そして、この包装用箱Ｂは、当該包装用箱Ｂの底面１９外側から前側の底蓋１９Ｆと後側の底蓋１９Ｒ重なり部分を谷にして折り畳操作されると、正面１１と左側面１２、背面１３と右側面１４がそれぞれ内側面を合せて、かつ前側の底蓋１９Ｆと正面１１、後側の底蓋１９Ｒと背面１３がそれぞれ内側面を合せて、４側面が底面１９とともに略扁平状に折り畳まれる。なお、この時点で、天面１８（主天面１８ａおよび補助天面１８ｂを含む）、各上フラップ１６Ｌ、１６Ｒ、補助正面１１ｂ及び補助底蓋１９ｂはそれぞれ、箱の背面１３、左右の各側面１２、１４、及び主正面１１ａの箱開口側の端部延長上に延ばされたままである。このようにして包装用箱Ｂは折り畳まれ、この状態で、収納物を包装する工場などに出荷される。
【００４３】
そして、薬品などの収納物を包装する工場では、先ず、この包装用箱Ｂが次のようにして組み立てられ、その次に包装用箱Ｂに収納物が収容された後、天面開口１０１が天蓋１８などにより閉塞されて包装される。ここで、包装用箱Ｂの組み立て動作について説明する。まず、包装用箱Ｂは、既述のとおりに折り畳まれた状態から、図１に示すように、右側面１４から背面１３を引き離し、左側面１２から正面１１を引き離すように、４側面を起こすと矩形状の平面形状となり、正面１１から前側の底蓋１９Ｆが折れ線４３を介して曲げ戻されるとともに背面１３から後側の底蓋１９Ｒが折れ線３７を介して曲げ戻されて、各底蓋１９Ｆ、１９Ｒの対向する縁部が底面１９の中央で重ね合わせられて天面１８が開口した箱形状となる。このようにして、図１に示すように、包装用箱Ｂは天面１８、補助底蓋１９ｂ及び各上フラップ１６Ｌ、１６Ｒが背面１３、正面１１及び左右の各側面１２、１４の上部延長上に延ばされた状態の箱形に戻される。このように包装用箱Ｂは箱形に戻すだけのワンタッチ操作により組み立てられる。
【００４４】
その後、正面１１については、補助正面１１ｂが折れ線４１に沿って主正面１１ａの内側（裏側）へ１８０度の角度に折り畳まれ、さらに、補助底蓋１９ｂが折れ線４２に沿って、上記補助正面１１ｂが折り畳まれた方向とは逆方向へ直角に折り畳まれる。主正面１1ａと補助正面１１ｂとは、互いの内側面が対接し、且つ補助底蓋１９ｂの下面は前側の底蓋１９Ｆと後側の底蓋１９Ｒの上面に対接する。この段階で開口５１、５２は、補助正面１１ｂが折れ線４１に沿って主正面１１ａの内側（裏側）へ１８０度の角度に折り畳まれたことにより、上下が反転した状態になり、開口５１については上縁５１ａが下側、開口下縁５１ｅが上側の位置になり、また、開口５２については上縁５２ａが下側、湾曲下縁５２ｄ、水平下縁５２ｇ、或いはくびれ部５２ｈが上側の位置を取ることになる。
【００４５】
ここで、折れ線４２を構成する第１乃至第３のミシン目４２ａ、４２ｂ、４２ｃ説明で上述したように、第１のミシン目４２ａから折れ線４１までの距離寸法はＤ１であり、第２のミシン目４２ｂから折れ線４１までの距離寸法はＤ２であり、第３のミシン目４２ｃから折れ線４１までの距離寸法はＤ２であり、しかも、Ｄ１とＤ２の間では、
Ｄ１＜Ｄ２
の関係がある。また、主正面１１ａの高さ寸法はＤ２に設定されている。よって、主正面１1ａと補助正面１１ｂとを折れ線４１で折曲させ互いの内側面を対接させたとき、第１のミシン目４２ａと第２のミシン目４２ｂとに対応する補助正面１１ｂの部分（余領域１１ｃとする）には高さ寸法に余りが生じ、当該余領域１１ｃにおいて補助正面１１ｂは折れ線４６に沿って包装用箱Ｂの内部に向けて「くの字」状に折れ曲がり、開口５１の開口下縁５１ｅと開口５２の下縁部５２ｄ、５２ｇ部分と主正面１１ａとの間に隙間４８（図５参照）が出来る。なお、上記開口５１の開口下縁５１ｅと開口５２の下縁部５２ｄ、５２ｇ部分は、包装用箱Ｂの組み立て後はいずれも開口上縁に相当する。折れ線４６は開口５１，５２に接続して延び、或いは切込み線５１ｈに接続されているから、補助正面１１ｂへ上下方向への僅かなせん断力が加わっても上記「くの字」状に折れ曲がり変形は生じる。折れ線４６をミシン目で成形すれば上記「くの字」状に折れ曲がり変形はより一層楽に生じさせることができる。
【００４６】
以上のような包装用箱Ｂの組み立てに引き続いて、包装用箱Ｂ内に収納物が収納される。このようにして収納物が包装用箱Ｂ内に入れられると、図２を参照して、左側面１２及び右側面１４に対して折れ線３８、４４を介して各上フラップ１６Ｌ、１６Ｒがそれぞれの内側面を内側にして略直角に折り曲げられて左右側からの蓋がされる。続いて、背面１３に対して折れ線３５を介して天面１８が、それぞれの内側面を内側にして、矢印Ａ方向へ略直角に折り曲げられる（図１参照）。そして、天面１８の差し込み片１８１が内側に略直角に折り曲げられて、この差し込み片１８１が正面１１の内側に差し込まれる。
【００４７】
上記差し込み片１８１を正面１１の内側に差し込むに当たって、差し込み片１８１の先端縁に設けられた係止フック５０は、図１乃至図４に示された状態からミシン目６０ａ〜６０ｄに沿って外側へ１８０度の角度だけ折返され、上下反転する。係止フック５０の態様について説明すると、包装用箱Ｂの組み立て段階で天面１８は折れ線３３を介して直角に折り曲げられ（１回目）、次に折れ線３４を介して直角に折り曲げられた（２回目）から、天面１８は図２に示された態様から見ると裏返しにされており、且つ係止フック５０を構成する係止片５４，５５，５６は図２に示された態様とは左右入れ替えの、左から係止片５４，係止片５５，係止片５６の順に配置され、切込み部５７，５８，５９についても、図２に示された態様とは左右入れ替えの、左から第１の切込み部５７、第２の切込み部５８、第３の切込み部５９の順に配置されている。
【００４８】
また係止フック５０は、差し込み片１８１が天面１８に対して内側（図２で見て紙面の裏側方向）へ直角に折り曲げられるから、係止片５４，５５，５６は、この直角折り曲げ段階では図２に示された態様とは上下入れ替えの下向きとなる。そして上述した通り、係止フック５０は、図１乃至図４に示された状態からミシン目６０ａ〜６０ｄに沿って外側へ１８０度の角度だけ折返され、上下反転せしめられるから、係止片５４，５５，５６は再び上下入れ替えの上向きの状態（最終的には、図２において、係止片５４，５５，５６を左右入れ替えただけの態様に相当する）となる。
【００４９】
これにより、係止フック５０は、その第１乃至第３の係止片５４，５５，５６が左から係止片５４，係止片５５，係止片５６の順に配置された態様で、且つ、裏返し操作を受けた後の上向きの状態で差し込み片１８１の表側面に対接した態様となる（図６参照）。この状態で箱開口を閉鎖するために天面１８が矢印Ａ方向へ曲げられ、差し込み片１８１を正面１１の内側に差し込む操作が為されると、係止フック５０は補助正面１１ｂに対接しつつ上方から下方へ切込み部５７，５８，５９の側から移動し、係止片５４，５５，５６が正面１１の上縁よりも少しだけ下がった所で開口５１，５２と係合して閉鎖が完了する。この移動動作において、補助正面１１ｂは上述のように、折れ線４６に沿って包装用箱Ｂの内部に向けて「くの字」状に折れ曲がり、開口５１の開口下縁５１ｅと開口５２の下縁部５２ｄ、５２ｇ部分と主正面１１ａとの間に隙間４８が出来ているから、係止フック５０と補助正面１１ｂとは移動中において密着状態が保持され、隙間や緩みができることはなく、係止片５４，５５，５６と開口５１，５２とは正しく係合する。
【００５０】
特に、上記補助正面１１ｂによる「くの字」状の折れ曲がりにより、フック受け５３の開口５１，５２は垂直向きの開口ではなく、斜め上向きに開いた開口となり、降下してくる係止片５４，５５，５６が係合し易い態勢になっているから、上述のように係止片５４，５５，５６と開口５１，５２とが容易に且つ正しく係合することができる。この係合作用により、係止片５４は、その頂部の部分が開口５２のくびれ部５２ｈの裏側へ入り込んで引っ掛かり、また、係止片５６は、その頂部の部分が開口５１のくびれ部５１ｆの裏側へ正しく入り込んで引っ掛かることにより、上方向へのロックがかかる。係止フック５０とフック受け５３による上記ロック操作によって、包装用箱Ｂは、天面１８を上方に引き上げても係止フック５０とフック受け５３との協働作用によりロックがかかって引き上げることはできない。
【００５１】
係止フック５０とフック受け５３によるロック作用を解除するには、天面１８の外側から押込部１８２部分を押すと、ミシン目１８２ｃ（切込み線）が破れて指挿入穴が表れる。ここに手指を差し入れて天面１８を図２中の矢印Ｂの方向へ押すと天面１８が上記矢印Ｂ方向へずれ運動し、係止片５４とくびれ部５２ｈとの引っ掛かり係合及び係止片５６とくびれ部５１ｆとの引っ掛かり係合が解除され、フック受け５３によるロック作用を解除することができる。上記天面１８（差し込み片１８１も含まれる）の矢印Ｂ方向へのずれ運動に際して、上フラップ１６Ｌが長寸法に成形され、また側辺１６ｂがその基端部から途中まで垂直に延び、且つ変節点１６ｅの先方で上フラップ１６Ｌの内側へ折曲して延びているため、差し込み片１８１が矢印Ｂ方向へのずれ運動する場合は上フラップ１６Ｌと補助正面１１ｂとの間の隙間通路が最初は広い入口から次第に狭い通路に変化し、しかもこの隙間通路が十分に長い寸法だけ確保されてガイドされることになり、ずれ運動が円滑に行われる。これにより天面１８が開けられて箱開口が開放され、収納物を取り出すことができる。
【００５２】
以上説明したように、本実施の形態に係る包装用箱Ｂによれば、既述の構成により、係止フック５０とフック受け５３による上記ロック操作によって、包装用箱Ｂは、天面１８を上方に引き上げても係止フック５０とフック受け５３との協働作用によりロックがかかって引き上げることはできないようにしたので、子供による医薬品の誤飲を防止することができる。
【００５３】
また、この包装用箱Ｂでは、さらに次のような利点を有する。
（１）補助正面１１ｂは上述のように、折れ線４６に沿って包装用箱Ｂの内部に向けて「くの字」状に折れ曲がり、開口５１の開口下縁５１ｅと開口５２の下縁部５２ｄ、５２ｇ部分と主正面１１ａとの間に隙間４８が出来ているから、係止フック５０と補助正面１１ｂとは移動中において密着状態が保持され、隙間や緩みができることはない。
（２）また、上記補助正面１１ｂによる「くの字」状の折れ曲がりにより、フック受け５３の開口５１，５２は垂直開口ではなく、斜め上向きに開いた開口となり、降下してくる係止片５４，５５，５６が係合し易い態勢になっているから、上述のように係止片５４，５５，５６と開口５１，５２とが容易に且つ正しく係合することができる。
（３）係止フック５０とフック受け５３によるロック作用を解除するに際して、天面１８の外側から押込部１８２部分を押すと、ミシン目１８２ｃが破れて指挿入穴が表れ、ここに手指を差し入れて天面１８をずらすだけでロック作用を解除され、フック受け５３によるロック作用を解除することができ操作が簡単にできる。
【００５４】
なお、この実施の形態では、差し込み片１８１に係止フック５０を設け、補助正面１１ｂにフック受け５３を設けているが、逆の取り付け関係であってもよい。
【産業上の利用可能性】
【００５５】
誤飲防止用ロック機能付き包装用箱において、天面の先端部にある差し込み片とこれを受け入れる正面裏側に係止フックとフック受けをそれぞれ設けて引っ掛け機構（ロック機構）とする。当該包装用箱の開封後でも、箱を常態としてロック状態にして、子供（特に幼児）による医薬品の誤飲を防止することができ、有用である。
【符号の説明】
【００５６】
Ｂ  包装用箱
１１  正面
１２  左側面
１３  背面
１４  右側面
１５  接着片
１６Ｌ  上フラップ
１６Ｒ  上フラップ
１７Ｌ  下フラップ
１７Ｒ  下フラップ
１８  天面
１９  底面
４８  隙間
５０  係止フック
５１，５２  開口
５３  フック受け
５４，５５，５６  係止片
５７，５８，５９  切込み部
６０，６１  突起底部
１８１  差し込み片
１９Ｆ  前側の底蓋
１９Ｒ  後側の底蓋
１９３  接着片
１９４  折り畳み線
Ｐ  紙基材
３１〜４６  折れ線
【図１】
2019085124.tif 000003
【図２】
2019085124.tif 000004
【図３】
2019085124.tif 000005
【図４】
2019085124.tif 000006
【図５】
2019085124.tif 000007
【図６】
2019085124.tif 000008